(57)【特許請求の範囲】
【請求項１】
遊技盤に取り付けられている円弧状の外側誘導レールと円弧状の内側誘導レールとの間に形成された誘導路であり発射された遊技球を遊技盤上の遊技領域に誘導する誘導路の出口付近に装着されて、前記遊技領域から前記誘導路への遊技球の戻りを防止する戻り防止具において、
一枚の弾性板金にて形成されていて、支持部材と弾性薄片とを一体に連結した構造の戻り防止具であり、
前記支持部材は、
ともに長方形の平面状である張出部と接面部とを共通の一辺にて連接し、その共通の一辺にて直角に折り曲げてアングル状となした構造で、
前記接面部を前記内側誘導レールの内周面に接触させて、前記張出部を前記内側誘導レールの上側で前記外側誘導レールに向かって延出させた姿勢で前記遊技盤または前記内側誘導レールに取り付けられ、
前記弾性薄片は、
一端を前記張出部の前記共通の一辺と直交する辺に連接され、
前記張出部との連接部では前記遊技盤の表面との間隔が遊技球の直径を超え、先端と前記遊技盤の表面との間隔が遊技球の直径未満となる傾斜状態で配されていて、前記張出部との接続線を軸として板ばね状に弾性変形可能である
ことを特徴とする戻り防止具。
【請求項２】
請求項１記載の戻り防止具において、
前記支持部材は、
前記接面部の前記共通の一辺と対向する端部側をＵターン状に折り曲げて形成された折返部を備えており、
前記折返部を前記内側誘導レールの外周面に接触させて、前記内側誘導レールの下端縁部を前記接面部と前記折返部とで挟んでいる
ことを特徴とする戻り防止具。
【請求項３】
請求項１又は２記載の戻り防止具において、
前記接面部の前記共通の一辺と対向する端部から前記張出部とは逆方向に前記遊技盤の表面に沿って延出されて、前記遊技盤の表面にネジ止めされた舌片を備える
ことを特徴とする戻り防止具。
【請求項４】
請求項２又は３記載の戻り防止具において、
前記遊技盤の表面から前記折返部の先端までの距離である前記折返部の高さＨは遊技球の半径の６０％以下とされている
ことを特徴とする戻り防止具。
【発明の詳細な説明】
【０００１】
【発明の属する技術分野】
本発明は、弾球遊技機の技術分野に属し、詳しくは遊技領域から誘導路への遊技球の戻りを防止するための戻り防止具に関する。
【０００２】
【従来の技術】
パチンコ機などの弾球遊技機では、例えば外側誘導レールと内側誘導レールとによって誘導路を形成し、発射装置から発射された遊技球をその誘導路によって遊技盤上の遊技領域に誘導する。しかし、一旦遊技領域に達した遊技球が障害釘などとの衝突によって跳ね返って誘導路に戻ることがあったので、これを防止するための戻り防止具が誘導路の出口付近に装着されていた。
【０００３】
従来の戻り防止具は、例えば特開平５−１７７０３３号公報に記載されているように、内側誘導レールの先端から外側誘導レールに向かって斜めに延出された弾性薄片を逆止弁として機能させる構造であった。
【０００４】
遊技領域に向かって移動する遊技球は弾性薄片を外側誘導レール側から押しのけるように弾性変形させて通過できるが、遊技領域から誘導路に戻ろうとする遊技球が弾性薄片に衝突すると、弾性薄片は外側誘導レール側に弾性変形して誘導路を閉鎖し、誘導路への逆戻りを防止した。
【０００５】
【発明が解決しようとする課題】
ところで、従来の戻り防止具の場合、遊技領域に向かって移動する遊技球は弾性薄片を外側誘導レール側から押しのけるように弾性変形させて通過するので、遊技球は弾性薄片の反発力によって外側誘導レールに押しつけられることになる。これにより遊技球を外側誘導レールに沿わせることになり、その限りでは遊技球の軌道を整える効果もあった。
【０００６】
ところが、遊技盤とその前面を覆うガラス板との距離はおよそ１９ｍｍとされており、遊技球の直径が約１１ｍｍであるために、遊技球が遊技盤から離れた状態で遊技領域に飛び込むことが多く、その際の遊技球と遊技盤との距離も一定しない（０〜約８ｍｍの範囲で変化する）ので、球筋が不安定となっていた。つまり、遊技者にしてみれば、発射装置の発射力を同じ状態に保っていても、遊技球が狙った場所に行くこともあればそれることもあるわけで、狙いどおりに飛ばないという不満があった。
【０００７】
本発明は、誘導路から遊技領域に飛び込む際の遊技球の軌道を安定させることを目的としている。
【０００８】
【課題を解決するための手段および発明の効果】
上記課題を解決するための請求項１記載の戻り防止具は、
遊技盤に取り付けられている円弧状の外側誘導レールと円弧状の内側誘導レールとの間に形成された誘導路であり発射された遊技球を遊技盤上の遊技領域に誘導する誘導路の出口付近に装着されて、前記遊技領域から前記誘導路への遊技球の戻りを防止する戻り防止具において、
一枚の弾性板金にて形成されていて、支持部材と弾性薄片とを一体に連結した構造の戻り防止具であり、
前記支持部材は、
ともに長方形の平面状である張出部と接面部とを共通の一辺にて連接し、その共通の一辺にて直角に折り曲げてアングル状となした構造で、
前記接面部を前記内側誘導レールの内周面に接触させて、前記張出部を前記内側誘導レールの上側で前記外側誘導レールに向かって延出させた姿勢で前記遊技盤または前記内側誘導レールに取り付けられ、
前記弾性薄片は、
一端を前記張出部の前記共通の一辺と直交する辺に連接され、
前記張出部との連接部では前記遊技盤の表面との間隔が遊技球の直径を超え、先端と前記遊技盤の表面との間隔が遊技球の直径未満となる傾斜状態で配されていて、前記張出部との接続線を軸として板ばね状に弾性変形可能である
ことを特徴とする。
【０００９】
この戻り防止具の弾性薄片は、誘導路側では遊技盤の表面との間隔が遊技球の直径を超え、先端と遊技盤の表面との間隔が遊技球の直径未満となる傾斜状態で配されているので、誘導路から遊技領域に向かって移動する遊技球は、弾性薄片を押しのけるように弾性変形させ、これによる弾性薄片の反発力で遊技盤に押しつけられる。このため、遊技球は常に遊技盤の表面に接触した状態で遊技領域に飛び込む。すなわち、遊技領域に飛び込むときの遊技球と遊技盤との距離は常に０となり、また遊技領域に入ってからも少なくとも最初に障害釘などに接触するまでは遊技盤との接触が維持されるから、球筋がきわめて安定する。この結果、狙いどおりに飛ばないという遊技者の不満も解消される。
【００１０】
弾性薄片は、上記のような傾斜状態で配されていれば、その形状は例えば平面状であってもよいし、曲面状であってもよく、あるいは一部を曲面状として他の一部を平面状にする等も可能であり、形状に制限はない。
【００１１】
支持部材は接面部を内側誘導レールの内周面に接触させて、張出部を内側誘導レールの上側で外側誘導レールに向かって延出させた姿勢で遊技盤または内側誘導レールに取り付けられる。支持部材を遊技盤と内側誘導レールの両方に取り付けることもできる。内側誘導レールは、普通は遊技盤に固定されているから、支持部材は直接または間接的に遊技盤に固定されるわけである。
【００１２】
また戻り防止具は一枚の弾性板金にて形成され、弾性薄片と支持部材とが一体になっているので、例えば板金のプレス加工等で量産するのに適しており、製造コストの低減も可能になる。
【００１３】
【発明の実施の形態】
次に、図面を参照して本発明のいくつかの実施例を説明することにより発明の実施の形態を説明する。なお、遊技盤の構造、誘導路を形成する部材（例えば外側誘導レール及び内側誘導レール）の配置や取り付け構造などは周知であるので、それらの図示と説明は省略する。
【００１４】
【実施例１】
図１及び図２は、遊技盤１０の一部を切り取きした状態で示した図である。これら図１及び図２に示すように、遊技盤１０に取り付けられている外側誘導レール１２と内側誘導レール１４との間には誘導路１６が形成され、またこれらレールよりも内側部分が遊技領域１８とされている。なお、外側誘導レール１２と内側誘導レール１４は、共に板金製である。
【００１５】
内側誘導レール１４の先端は遊技領域１８側に筒状に曲げられてスリーブ２０とされ、スリーブ２０を貫通する釘２０ａが遊技盤１０に打ち込まれている。これにより内側誘導レール１４の先端の位置が固定されている。また、内側誘導レール１４の下端縁（遊技盤１０側の端縁）は、割釘２２によって遊技盤１０に固定されている。そして、スリーブ２０と割釘２２の間には戻り防止具２３が取り付けられている。
【００１６】
戻り防止具２３は、図３及び図４に示すように、弾性薄片２５とアングル状の支持部材２７とを一体に連結した構造である。詳しくは、弾性薄片２５は先端側の平面部２９と支持部材２７側の曲面部３１とからなり、曲面部３１の端において支持部材２７の張出部３３に連設されている。
【００１７】
支持部材２７は、張出部３３、この張出部３３に対してほぼ直角に折り曲げられている接面部３５、接面部３５の一端側をＵターン状に折り曲げて形成された折返部３７からなっている。なお、張出部３３及び接面部３５は平面状であり、接面部３５の両側の折り目間の距離（つまり接面部３５の高さ）は内側誘導レール１４の幅をわずかに上回り、接面部３５と折返部３７の間隔は内側誘導レール１４の板厚とほぼ等しい。
【００１８】
この戻り防止具２３は薄鋼板（本例では厚さが約０．２ｍｍ）を曲げ加工して製造されており、上述のような形状であるので、弾性薄片２５は張出部３３との接続線を軸として板ばね状に弾性変形可能である。
【００１９】
図１、図２及び図５に示すように、支持部材２７（戻り防止具２３）は、接面部３５と折返部３７とで内側誘導レール１４を挟むようにして、接面部３５及び折返部３７を内側誘導レール１４の表面に接触させ、また張出部３３を内側誘導レール１４の上側で外側誘導レール１２に向かって延出させて張出部３３と折返部３７とで内側誘導レール１４を挟む姿勢で、しかも内側誘導レール１４と遊技盤１０によって折返部３７の折り目部分を挟まれる状態で、スリーブ２０と割釘２２の間に配されている。
【００２０】
つまり、接面部３５と折返部３７とで内側誘導レール１４を挟むことで内側誘導レール１４の板厚方向への移動を規制され、折返部３７と張出部３３とで内側誘導レール１４を挟みかつ内側誘導レール１４と遊技盤１０によって折り目部分を挟まれることで内側誘導レール１４の幅方向への移動が規制され、スリーブ２０と割釘２２とによって内側誘導レール１４の長手方向への移動が規制されている。したがって、支持部材２７と内側誘導レール１４及び遊技盤１０との相対位置の変動は規制されている。
【００２１】
また、図５に示すように、折返部３７の高さＨ（遊技盤１０の表面から折返部３７の先端３７ａまでの距離）は遊技球の半径の約６０％以下とされており、誘導路１６を通過する遊技球が内側誘導レール１４に接触した場合でも、折返部３７には接触しない寸法設定である。したがって、折返部３７が遊技球に接触してその進路を乱すことはない。
【００２２】
一方、図１、図２及び図５に示すように、弾性薄片２５は、張出部３３によって片持ちされた状態で誘導路１６の進行方向に沿って延出されており、張出部３３側（誘導路１６側）では遊技盤１０の表面との間隔が大きく（ほぼ内側誘導レール１４の高さ）、平面部２９の先端２９ａと遊技盤１０の表面との間隔が狭い、傾斜状態とされている。弾性薄片２５と遊技盤１０の表面との間隔は、誘導路１６を通過してくる遊技球との関係でいえば、張出部３３側（誘導路１６側）では遊技球の直径より大きく（本例では約１８ｍｍ）、先端２９ａでは遊技球の直径よりも小さい（本例では約２ｍｍ）。
【００２３】
この戻り防止具２３を装着した遊技盤１０においては、誘導路１６から遊技領域１８に向かって移動する遊技球は、弾性薄片２５を押しのけるように弾性変形させ、これによる弾性薄片２５の反発力で遊技盤１０に押しつけられる。このため、遊技球は常に遊技盤１０の表面に接触した状態で遊技領域１８に飛び込む。すなわち、遊技領域１８に飛び込むときの遊技球と遊技盤１０との距離は常に０となり、また遊技領域１８に入ってからも少なくとも最初に障害釘などに接触するまでは遊技盤１０との接触が維持されるから、球筋がきわめて安定する。この結果、狙いどおりに飛ばないという遊技者の不満も解消される。
【００２４】
遊技領域１８から誘導路１６に戻ろうとする遊技球があると、そのような遊技球は平面部２９の先端２９ａに当たる。弾性薄片２５が傾斜状態とされているので、その先端２９ａに当たった遊技球は先端２９ａ側を遊技盤１０に押し付ける方向に弾性薄片２５を弾性変形させる。この弾性薄片２５の変形によって誘導路１６の出口が閉じられるので、遊技球は誘導路１６に流入できない。このように、弾性薄片２５が逆止弁として働くから、遊技球が遊技領域１８から誘導路１６に戻るのは防止される。
【００２５】
また、戻り防止具２３は弾性薄片２５と支持部材２７とを一体にした板金製品なので、プレス加工等で量産するのに適しており、製造コストの低減も可能になる。
【００２６】
【実施例２】
この例は戻り防止具を遊技盤に固定する例である。なお、実施例１と共通の部分が多いので、それらについては実施例１と同じ符号を用いて説明を省略する。
【００２７】
この例においては、遊技盤１０及び外側誘導レール１２は実施例１と同じであり、内側誘導レール１４はスリーブ２０を有さない点で実施例１のものとは異なるが、それ以外は同じである。
【００２８】
戻り防止具４１は実施例１の戻り防止具２３と同様の薄鋼板を曲げ加工して製造されており、弾性薄片２５、張出部３３及び接面部３５は実施例１と同じであるが、図８及び図９に示すように、一対の折返部４３ａ、４３ｂを備える点と固定用の舌片４５を有する点で実施例１とは異なる。ただし、折返部４３ａ、４３ｂの高さ（遊技盤１０の表面から折返部４３ａ、４３ｂの先端までの距離）は、実施例１の折返部３７と同様に高さ遊技球の半径の約６０％以下とされている。
【００２９】
図８及び図９に示すように、舌片４５は張出部３３とは逆の方向に沿って接面部３５からほぼ直角に延出されており、図９に示すように、舌片４５にはビス用の貫通穴４５ａが設けられている。
【００３０】
図６及び図７に示すように、支持部材２７（戻り防止具４１）は、接面部３５と一対の折返部４３ａ、４３ｂとで内側誘導レール１４を挟むようにして、接面部３５及び折返部４３ａ、４３ｂを内側誘導レール１４の表面に接触させ、また張出部３３を内側誘導レール１４の上側で外側誘導レール１２に向かって延出させて張出部３３と折返部４３ａ、４３ｂとで内側誘導レール１４を挟む姿勢で、しかも内側誘導レール１４と遊技盤１０によって折返部４３ａ、４３ｂの折り目部分を挟まれる状態で配されている。そして、舌片４５は遊技盤１０の表面に沿って遊技領域１８側に延出され、貫通穴４５ａを貫通するビス４７によって遊技盤１０に固定されている。
【００３１】
戻り防止具４１は、接面部３５と折返部４３ａ、４３ｂとで内側誘導レール１４を挟むことで内側誘導レール１４の板厚方向への移動を規制され、折返部４３ａ、４３ｂと張出部３３とで内側誘導レール１４を挟みかつ内側誘導レール１４と遊技盤１０によって折り目部分を挟まれることで内側誘導レール１４の幅方向への移動が規制され、ビス４７により遊技盤１０からの離脱を阻まれ内側誘導レール１４の長手方向への移動を規制されている。したがって、支持部材２７と内側誘導レール１４及び遊技盤１０との相対位置の変動は規制されている。
【００３２】
一方、弾性薄片２５は、実施例１と同様に張出部３３によって片持ちされた状態で誘導路１６の進行方向に沿って延出され、張出部３３側（誘導路１６側）では遊技盤１０の表面との間隔が大きく（ほぼ内側誘導レール１４の高さ）、平面部２９の先端２９ａと遊技盤１０の表面との間隔が狭い、傾斜状態とされている。弾性薄片２５と遊技盤１０の表面との間隔は、誘導路１６を通過してくる遊技球との関係でいえば、張出部３３側（誘導路１６側）では遊技球の直径より大きく（本例では約１８ｍｍ）、先端２９ａでは遊技球の直径よりも小さい（本例では約２ｍｍ）。
【００３３】
この戻り防止具４１を装着した遊技盤１０においては、誘導路１６から遊技領域１８に向かって移動する遊技球は、弾性薄片２５を押しのけるように弾性変形させ、これによる弾性薄片２５の反発力で遊技盤１０に押しつけられる。このため、遊技球は常に遊技盤１０の表面に接触した状態で遊技領域１８に飛び込む。すなわち、遊技領域１８に飛び込むときの遊技球と遊技盤１０との距離は常に０となり、また遊技領域１８に入ってからも少なくとも最初に障害釘などに接触するまでは遊技盤１０との接触が維持されるから、球筋がきわめて安定する。この結果、狙いどおりに飛ばないという遊技者の不満も解消される。
【００３４】
遊技領域１８から誘導路１６に戻ろうとする遊技球があると、そのような遊技球は平面部２９の先端２９ａに当たる。弾性薄片２５が傾斜状態とされているので、その先端２９ａに当たった遊技球は先端２９ａ側を遊技盤１０に押し付ける方向に弾性薄片２５を弾性変形させる。この弾性薄片２５の変形によって誘導路１６の出口が閉じられるので、遊技球は誘導路１６に流入できない。このように、弾性薄片２５が逆止弁として働くから、遊技球が遊技領域１８から誘導路１６に戻るのは防止される。
【００３５】
また、折返部４３ａ、４３ｂの高さ（遊技盤１０の表面から折返部４３ａ、４３ｂの先端までの距離）が遊技球の半径の約６０％以下とされているので、誘導路１６を通過する遊技球が内側誘導レール１４に接触した場合でも、折返部４３ａ、４３ｂに接触することはなく、折返部４３ａ、４３ｂが遊技球に接触してその進路を乱すことはない。
【００３６】
しかも、戻り防止具４１は弾性薄片２５と支持部材２７とを一体にした板金製品なので、プレス加工等で量産するのに適しており、製造コストの低減も可能になる。
【００３７】
【実施例３】
この例は内側誘導レールとしてプラスチック製の板体を用いる例である。なお、実施例１、２と共通の部分が多い（戻り防止具においては実施例２とは接面部と折返部の距離が異なるだけである）ので、それらについては実施例１、２と同じ符号を用いて説明を省略する。
【００３８】
本例の内側誘導レール１５はプラスチック製であるので、図１０及び図１１に示すように、板金製の外側誘導レール１２よりも板厚が大きい。また先端部１５ａが円柱の側面状の曲面とされている点で実施例１、２とは異なる。
【００３９】
戻り防止具５１は実施例１、２の戻り防止具２３、４１と同様の薄鋼板を曲げ加工して製造されており、図１１及び図１２に示すように、戻り防止具５１は、実施例１、２と同様の弾性薄片２５、張出部３３、接面部３５と実施例２と同様の折返部４３ａ、４３ｂ及び舌片４５を備えている。ただし、接面部３５と折返部４３ａ、４３ｂの間隔が内側誘導レール１５の板厚に対応して実施例２よりも大きくなっている点で違いがあるが、折返部４３ａ、４３ｂの高さ（遊技盤１０の表面から折返部４３ａ、４３ｂの先端までの距離）は、実施例１、２と同じである。
【００４０】
図１０及び図１１に示すように、支持部材２７（戻り防止具５１）は、接面部３５と折返部４３ａ、４３ｂとで内側誘導レール１５を挟むようにして、接面部３５及び折返部４３ａ、４３ｂを内側誘導レール１５の表面に接触させ、また張出部３３を内側誘導レール１５の上側で外側誘導レール１２に向かって延出させて張出部３３と折返部４３ａ、４３ｂとで内側誘導レール１５を挟む姿勢で、しかも内側誘導レール１５と遊技盤１０によって折返部４３ａ、４３ｂの折り目部分を挟まれる状態で配されている。そして、舌片４５は遊技盤１０の表面に沿って遊技領域１８側に延出され、貫通穴４５ａを貫通するビス４７によって遊技盤１０に固定されている。
【００４１】
戻り防止具５１は、接面部３５と折返部４３ａ、４３ｂとで内側誘導レール１５を挟むことで内側誘導レール１５の板厚方向への移動を規制され、折返部４３ａ、４３ｂと張出部３３とで内側誘導レール１５を挟みかつ内側誘導レール１５と遊技盤１０によって折り目部分を挟まれることで内側誘導レール１５の幅方向への移動が規制され、ビス４７により遊技盤１０からの離脱を阻まれ内側誘導レール１５の長手方向への移動を規制されている。したがって、支持部材２７と内側誘導レール１５及び遊技盤１０との相対位置の変動は規制されている。
【００４２】
一方、弾性薄片２５は、実施例１、２と同様に張出部３３によって片持ちされた状態で誘導路１６の進行方向に沿って延出され、張出部３３側（誘導路１６側）では遊技盤１０の表面との間隔が大きく（ほぼ内側誘導レール１５の高さ）、平面部２９の先端２９ａと遊技盤１０の表面との間隔が狭い、傾斜状態とされている。弾性薄片２５と遊技盤１０の表面との間隔は、誘導路１６を通過してくる遊技球との関係でいえば、張出部３３側（誘導路１６側）では遊技球の直径より大きく（本例では約１８ｍｍ）、先端２９ａでは遊技球の直径よりも小さい（本例では約２ｍｍ）。
【００４３】
この戻り防止具５１を装着した遊技盤１０においては、誘導路１６から遊技領域１８に向かって移動する遊技球は、弾性薄片２５を押しのけるように弾性変形させ、これによる弾性薄片２５の反発力で遊技盤１０に押しつけられる。このため、遊技球は常に遊技盤１０の表面に接触した状態で遊技領域１８に飛び込む。すなわち、遊技領域１８に飛び込むときの遊技球と遊技盤１０との距離は常に０となり、また遊技領域１８に入ってからも少なくとも最初に障害釘などに接触するまでは遊技盤１０との接触が維持されるから、球筋がきわめて安定する。この結果、狙いどおりに飛ばないという遊技者の不満も解消される。
【００４４】
また、折返部４３ａ、４３ｂの高さ（遊技盤１０の表面から折返部４３ａ、４３ｂの先端までの距離）が遊技球の半径の約６０％以下とされているので、誘導路１６を通過する遊技球が内側誘導レール１４に接触した場合でも、折返部４３ａ、４３ｂに接触することはなく、折返部４３ａ、４３ｂが遊技球に接触してその進路を乱すことはない。
【００４５】
遊技領域１８から誘導路１６に戻ろうとする遊技球があると、そのような遊技球は平面部２９の先端２９ａに当たる。弾性薄片２５が傾斜状態とされているので、その先端２９ａに当たった遊技球は先端２９ａ側を遊技盤１０に押し付ける方向に弾性薄片２５を弾性変形させる。この弾性薄片２５の変形によって誘導路１６の出口が閉じられるので、遊技球は誘導路１６に流入できない。このように、弾性薄片２５が逆止弁として働くから、遊技球が遊技領域１８から誘導路１６に戻るのは防止される。
【００４６】
しかも、戻り防止具５１は弾性薄片２５と支持部材２７とを一体にした板金製品なので、プレス加工等で量産するのに適しており、製造コストの低減も可能になる。
【００４７】
【実施例４】
この例は、折返部の形状を半筒状にした例であるが、これ以外は実施例１と同じであるので、それら共通部分については実施例１と同じ符号を用いて説明を省略する。
【００４８】
図１６及び図１７に示すように、この戻り防止具６１の折返部６３は、接面部３５から折り返され、さらに接面部３５側に巻き込まれており、その断面形状は半円状になっている。そして、接面部３５と折返部６３の先端との距離は、内側誘導レール１４の板厚をわずかに下回っている。
【００４９】
この戻り防止具６１は、図８に示すとおり、実施例１のものと同様に内側誘導レール１４の先端部に装着される。その際には折返部６３と接面部３５の間に内側誘導レール１４が押し込まれるので、折返部６３が弾性変形させられ、その反発力によって折返部６３の先端と接面部３５とで内側誘導レール１４を挟持する。この挟持により、内側誘導レール１４と戻り防止具６１（支持部材２７）との連結がより強固になる。
【００５０】
しかも、折返部６３の先端側を巻き込んだことにより、遊技盤１０の表面から折返部６３の先端部までの距離（遊技盤１０上での高さ）を小さくできるので、誘導路１６を通過する遊技球が折返部６３と接触することもない。
【００５１】
また、この戻り防止具６１は、実施例１の戻り防止具２３と同じ効果をも発揮する。
【００５２】
以上、４つの実施例に従って、本発明の実施の形態について説明したが、本発明はこれらの実施例に限定されるものではなく、本発明の要旨を逸脱しない範囲でさまざまに実施できることは言うまでもない。
【図面の簡単な説明】
【図１】  実施例１の戻り防止具の使用状態の説明図であり、図１（ａ）は正面図、図１（ｂ）は図１（ａ）のＡ−Ａ断面図、図１（ｃ）は下面図である。
【図２】  実施例１の戻り防止具の使用状態の説明図であり、図２（ａ）は右側面図、図２（ｂ）は右上方からの斜視図、図２（ｃ）は左上方からの斜視図である。
【図３】  実施例１の戻り防止具の構造の説明図であり、図３（ａ）は正面図、図３（ｂ）は図３（ａ）のＡ−Ａ断面図、図３（ｃ）は下面図、図３（ｄ）は右側面図である。
【図４】  実施例１の戻り防止具の構造の説明図であり、図４（ａ）は右上方からの斜視図、図４（ｂ）は右下方からの斜視図、図４（ｃ）は左上方からの斜視図である。
【図５】  実施例１の戻り防止具の使用状態の説明図であり、図５（ａ）は拡大正面図、図５（ｂ）は図５（ａ）のＡ−Ａ断面図である。
【図６】  実施例２の戻り防止具の使用状態の説明図であり、図６（ａ）は正面図、図６（ｂ）は図６（ａ）のＡ−Ａ断面図、図６（ｃ）は下面図である。
【図７】  実施例２の戻り防止具の使用状態の説明図であり、図７（ａ）は右側面図、図７（ｂ）は右上方からの斜視図、図７（ｃ）は左上方からの斜視図である。
【図８】  実施例２の戻り防止具の構造の説明図であり、図８（ａ）は正面図、図８（ｂ）は図８（ａ）のＡ−Ａ断面図、図８（ｃ）は下面図、図８（ｄ）は右側面図、図８（ｅ）は上面図である。
【図９】  実施例２の戻り防止具の構造の説明図であり、図９（ａ）は右上方からの斜視図、図９（ｂ）は右下方からの斜視図、図９（ｃ）は左上方からの斜視図、図９（ｄ）は裏面側の下方からの斜視図である。
【図１０】  実施例３の戻り防止具の使用状態の説明図であり、図１０（ａ）は正面図、図１０（ｂ）は図１０（ａ）のＡ−Ａ断面図、図１０（ｃ）は下面図である。
【図１１】  実施例３の戻り防止具の使用状態の説明図であり、図１１（ａ）は右側面図、図１１（ｂ）は右上方からの斜視図、図１１（ｃ）は左上方からの斜視図である。
【図１２】  実施例３の戻り防止具の構造の説明図であり、図１２（ａ）は正面図、図１２（ｂ）は図１２（ａ）のＡ−Ａ断面図、図１２（ｃ）は下面図、図１２（ｄ）は右側面図、図１２（ｅ）は上面図である。
【図１３】  実施例３の戻り防止具の構造の説明図であり、図１３（ａ）は右上方からの斜視図、図１３（ｂ）は右下方からの斜視図、図１３（ｃ）は左上方からの斜視図、図１３（ｄ）は裏面側の下方からの斜視図である。
【図１４】  実施例４の戻り防止具の使用状態の説明図であり、図１４（ａ）は正面図、図１４（ｂ）は図１４（ａ）のＡ−Ａ断面図、図１４（ｃ）は下面図である。
【図１５】  実施例４の戻り防止具の使用状態の説明図であり、図１５（ａ）は右側面図、図１５（ｂ）は右上方からの斜視図、図１５（ｃ）は左上方からの斜視図である。
【図１６】  実施例４の戻り防止具の構造の説明図であり、図１６（ａ）は正面図、図１６（ｂ）は図１６（ａ）のＡ−Ａ断面図、図１６（ｃ）は下面図、図１６（ｄ）は右側面図、図１６（ｅ）は上面図である。
【図１７】  実施例４の戻り防止具の構造の説明図であり、図１７（ａ）は右上方からの斜視図、図１７（ｂ）は右下方からの斜視図、図１７（ｃ）は左上方からの斜視図、図１７（ｄ）は裏面側の下方からの斜視図である。
【符号の説明】
１０…遊技盤、１２…外側誘導レール（誘導路を形成する部材）、１４、１５…内側誘導レール（誘導路を形成する部材）、１６…誘導路、１８…遊技領域、２３、４１、５１、６１…戻り防止具、２５…弾性薄片、２７…支持部材
【図１】
0004382200.tif 000002
【図２】
0004382200.tif 000003
【図３】
0004382200.tif 000004
【図４】
0004382200.tif 000005
【図５】
0004382200.tif 000006
【図６】
0004382200.tif 000007
【図７】
0004382200.tif 000008
【図８】
0004382200.tif 000009
【図９】
0004382200.tif 000010
【図１０】
0004382200.tif 000011
【図１１】
0004382200.tif 000012
【図１２】
0004382200.tif 000013
【図１３】
0004382200.tif 000014
【図１４】
0004382200.tif 000015
【図１５】
0004382200.tif 000016
【図１６】
0004382200.tif 000017
【図１７】
0004382200.tif 000018